(57)【要約】【課題】画像データの表示を行う機能を持った情報端末を提供する。【解決手段】情報端末１の外部にある主装置から出力された電磁波はアンテナ６により受信され、検波回路７により２値化信号に変換される。この検波回路７により得られた信号により、電源回路１０は、プロセッサ８、メモリ９、表示部２、データ配線駆動信号３、データ配線駆動信号４、タイミングコントローラ５を駆動する電力を発生させる。プロセッサ８は、検波回路７が受信した信号を解読し、受信した情報をメモリ９に記憶する。タイミングコントローラ５は、検波回路７で２値化した信号から、データ配線駆動回路３の制御信号、走査配線駆動回路４の制御信号、および画像データを生成し、画像を表示部２に表示する。【選択図】図１
2007248553.tif 000002
【特許請求の範囲】
【請求項１】
画像を表示する表示部と、前記表示部を駆動する表示部駆動回路と、前記表示部駆動回路に制御信号を供給するタイミングコントローラを持つ画像表示装置を備える情報端末であって、
外部から入射される電磁波を受信するアンテナおよび、前記アンテナが受信した電磁波に含まれる信号を検出する検波回路を内蔵し、
前記検出された信号に画像信号およびヘッダ信号が含まれる場合、前記タイミングコントローラは、前記画像信号および前記ヘッダ信号と同期した制御信号を前記表示部駆動回路に供給し、前記画像信号を前記表示部に表示することを特徴とする画像表示装置を備える情報端末。
【請求項２】
請求項１において、
前期表示部、前記表示部駆動回路、前記タイミングコントローラ、および前記検波回路は、薄膜トランジスタを用いて構成されていることを特徴とする画像表示装置を備える情報端末。
【請求項３】
請求項１において、
前記タイミングコントローラは、前記アンテナが受信した画像信号をＮＲＺ信号に変換するＮＲＺ信号化回路と、前記ＮＲＺ信号を画像表示用のデータとして用いるための電圧にレベル変換するレベルシフタと、ＮＲＺ信号化回路の出力から前記検波回路の出力と同期したクロックを生成するクロック生成回路と、前記画像表示装置の表示制御信号を生成する制御信号生成回路を備え、
前記表示制御信号を前記表示装置に供給することにより、前記アンテナが受信した画像信号を前記表示部に表示することを特徴とする画像表示装置を備える情報端末。
【請求項４】
請求項３において、
前記タイミングコントローラは、前記検波回路出力を記憶するメモリを備え、前記アンテナが受信してＮＲＺ信号に変換された画像信号を、一旦前記メモリに記憶した後、所定のタイミングで前記表示部に供給することにより、前記アンテナにより受信した信号を前記表示部に表示することを特徴とする画像表示装置を備える情報端末。
【請求項５】
請求項１において、
前記アンテナが受信した画像データには、当該受信信号が画像データであることを示すヘッダデータが付加されており、当該ヘッダデータを検出することにより、画像データの表示を開始することを特徴とする画像表示装置を備える情報端末。
【請求項６】
請求項１において、
前記表示部は、画像データを転送する複数のデータ配線と、前記データ配線と交差して配置される複数の走査配線と、前記データ配線と前記走査配線の各交点に対応した複数の画素により構成されており、
前記表示部駆動回路は、前記データ配線を駆動するデータ配線駆動回路と前記走査配線を駆動する走査配線駆動回路を有し、
前記データ配線駆動回路は前記データ配線を選択するための第1シフトレジスタを複数備えて、それぞれが異なったデータ配線を選択する構成を有し、
前記走査配線駆動回路は前記走査配線を選択するための第２シフトレジスタを複数備えて、それぞれが異なった走査配線を選択する構成を有することを特徴とする画像表示装置を備える情報端末。
【請求項７】
請求項６において、
前記アンテナが受信した画像データには、当該受信信号が前期表示部上のどの位置から表示を開始するかを示すヘッダデータが付加されており、当該ヘッダデータを検出することにより、前記複数の第１シフトレジスタおよび前記複数の第２シフトレジスタのうちの前記表示部の所定の位置に対応するシフトレジスタを動作させて、前記表示部の所定の位置から画像データの表示を開始することを特徴とする画像表示装置を備える情報端末。
【請求項８】
請求項７において、
前記画像データは前記表示部の１行分の画像データ毎に分割されており、前記各行の画像データの先頭に先頭を認識するためのヘッダデータが付与されており、当該ヘッダデータを検出することにより、前記表示部へ画像データを供給する行を変更することを特徴とする画像表示装置を備える情報端末。
【発明の詳細な説明】
【技術分野】
【０００１】
本発明は、情報端末に係り、特に主装置との間で電磁波により画像データを受信し、受信した画像の表示を行う画像表示装置を備えた情報端末に関する。
【背景技術】
【０００２】
現在、Ｆｅｌｉｃａ、ＩＤカードなど、ＲＦ信号でデータ通信を行う非接触ＩＣカードに代表される携帯型の情報端末が普及している。非接触ＩＣカードとは、カード内にアンテナ、受信回路、メモリを内蔵したもので、電磁波を介してリーダ／ライタ（主装置）との間のデータのやり取りが可能になる。この非接触ＩＣカードは、従来の磁気カードのデータ読出しで行う磁気カードリーダへのカード挿入等の煩わしさが無いため、カードの利便性が向上する。
【０００３】
このような非接触ＩＣカードの利便性を更に向上させるため、画像表示素子を付加したカードの提案が行われている。例えば、特許文献１にはＴＦＴ基板上にＲＦ送受信回路を形成し、かつ、液晶等の表示素子と組み合わせた構成が示されている。表示機能が付いたカードが実現すれば、受信したデータを即座に視覚化でき、ユーザへのサービスを格段に向上させることができる。
【特許文献１】特開２００６−１３４８１号公報
【発明の開示】
【発明が解決しようとする課題】
【０００４】
非接触ＩＣカードに画像表示素子（画像表示装置）を付加することにより、カードの利便性が向上するが、これを実現するためには、データの送受信と画像表示という異なる機能をどのように組み合わせるかという課題がある。具体的には、全体の構成をどうするか、個別の機能をどう実現するか、また、どのように作製するか、等の課題が挙げられる。
【０００５】
これらの課題の中で、本発明では特に、データの送受信部と画像表示部とのインターフェイス部に着目した。すなわち、受信した信号からどのように表示部の制御信号、画像信号を生成するかについての信号処理について、従来技術では詳細に考慮されていない。
【０００６】
本発明の目的は、電磁波として受信した画像データを表示させるための画像表示装置を備えた情報端末を提供するものである。
【課題を解決するための手段】
【０００７】
本発明の情報端末では、アンテナ、検波回路、タイミングコントローラ、表示部、表示部駆動回路を持った画像表示装置を具備し、アンテナが受信したデータを表示部に画像として表示するために、タイミングコントローラは、アンテナで受信し、検波回路が検出した画像信号およびヘッダ信号と同期した制御信号を生成し、表示部制御回路に送る。
【０００８】
また、前記検波回路、前記タイミングコントローラ、画像表示部、表示部制御回路等の各回路を画像表示装置の基板上に薄膜トランジスタを用いて作りこむ。タイミングコントローラは、アンテナが受信した画像信号をＮＲＺ信号に変換し、かつ、信号振幅を画像データ用の電圧レベルに変換し、表示部に転送する。表示部制御回路は、画像表示部のデータ配線を駆動するデータ配線駆動回路と画像表示部の走査配線を駆動する走査配線駆動回路により構成され、各駆動回路が１つ以上複数のシフトレジスタを持ち、それらのシフトレジスタが所定のデータ配線、走査配線を駆動するよう接続されていることから、複数のシフトレジスタの内所定のシフトレジスタを駆動することにより、表示部内の所定の位置へ画像表示を行う。
【０００９】
さらに、アンテナが受信する信号に、画像データを表すヘッダおよび、表示部上の位置を表すヘッダを付加することにより、画像表示装置は、画像表示部上の画像表示位置を認識することができる。
【００１０】
また、受信した電磁波から電力を生成して内臓電源とすることが可能であり、外部電源を必要としない携帯型情報端末を実現できる。
【発明の効果】
【００１１】
本発明に係る画像表示装置を備えた情報端末により、外部から放射される電磁波を受信し、受信した信号から画像信号と画像表示用の制御信号および画像データを生成し、画像表示を行う通信機能を有する表示デバイスを実現できる。
【発明を実施するための最良の形態】
【００１２】
以下、添付図面を参照しながら本発明に係る画像表示装置を備えた情報端末を詳細に説明する。なお、同一もしくは同様の構成部分には、同一の参照符号を付してその重複する説明は省略する。
【実施例１】
【００１３】
図１は本発明の実施例１を示す構成図である。画像表示装置を備えた情報端末１は、表示部２、データ配線駆動回路３、走査配線駆動回路４、タイミングコントローラ５、アンテナ６、検波回路７、プロセッサ８、メモリ９、電源回路１０を内蔵している。ここで、表示部２は、液晶、電子ペーパー、有機ＥＬ等により構成されるものである。
【００１４】
この情報端末の動作を以下に説明する。まず、入力データは、情報端末１の外部にある主装置から電磁波を介して入力される。この電磁波はアンテナ６により受信され、検波回路７により２値化信号に変換される。この２値化信号は、例えば、図２に示すようなマンチェスター方式の信号形式をとっている。また、この検波回路７により得られた信号により、電源回路１０は、プロセッサ８、メモリ９、表示部２、データ配線駆動信号３、データ配線駆動信号４、タイミングコントローラ５を駆動する電力を発生させる。プロセッサ８は、検波回路７が受信した信号を解読し、受信した情報をメモリ９に記憶する。また、メモリ９に記憶されている信号をアンテナ６を用いて電磁波として画像表示装置１の外部（主装置）に発信する。
【００１５】
次に、タイミングコントローラ５は、検波回路７で２値化した信号から、データ配線駆動回路３の制御信号、走査配線駆動回路４の制御信号、および画像データを生成する回路である。これらの信号の特徴的な点は、データ配線駆動回路３の制御信号および走査配線駆動回路４の制御信号が画像データ信号と同期していることである。また、画像データは、検波回路７が検出した信号をＮＲＺ信号に変換し、画像データ用の信号振幅にレベル変換したものである。
【００１６】
ここで、タイミングコントローラ５が生成するデータ配線駆動回路３の制御信号、走査配線駆動回路４の制御信号、および画像データについてその１例を説明する。図３に表示部２、データ配線駆動回路３、走査配線駆動回路４の構成と入力信号の１例を示す。表示部２内は、複数のデータ配線２１と複数の走査配線２２が交差しており、各交差点に画素２３が配置されている。また、データ配線駆動回路３はシフトレジスタ３１とスイッチ３２により構成され、シフトレジスタ３１には制御信号ＨＦＲＭ、ＨＣＬＫ１、ＨＣＬＫ２が入力される。一方、走査配線駆動回路４はシフトレジスタ４１およびレベルシフタ４２により構成され、シフトレジスタ４１には制御信号ＶＦＲＭ、ＶＣＬＫ１、ＶＣＬＫ２が入力される。また、画像データＤＡＴＡはスイッチ３２を介して、すべてのデータ配線２１と接続されている。
【００１７】
シフトレジスタ４１へ入力される制御信号ＶＦＲＭ、ＶＣＬＫ１、ＶＣＬＫ２および、シフトレジスタ３１へ入力される制御信号ＨＦＲＭ、ＨＣＬＫ１、ＨＣＬＫ２の波形の１例を図４に示す。ＶＦＲＭは、シフトレジスタ４１のスタートパルスで、１画面の表示期間の最初に１回Ｈｉｇｈになる信号である。シフトレジスタ４１は、このＶＦＲＭ信号をＣＬＫ１およびＣＬＫ２により転送することで、走査配線２２を順次駆動する。
【００１８】
また、シフトレジスタ３１は、ＨＦＲＭをスタートパルスとし、その信号をＨＣＬＫ１およびＨＣＬＫ２により転送して、スイッチ３２を順次駆動する。スイッチ３２が駆動されることで、画像データＤＡＴＡは、駆動されたスイッチ３２と対応したデータ配線２１に転送される。１本の走査配線が選択されている期間内にすべてのスイッチ３２を時分割で駆動することで、表示部２内の１行の中にある各画素２３に画像データＤＡＴＡを転送する。この画像データの転送を、検波回路７の出力である２値化信号と同期して行うことにより、画像表示装置１は、画像表示装置１の外部から入力される電磁波による信号を、順次、表示部２に表示することができる。
【００１９】
さらに、画像データは検波回路７の出力信号をＮＲＺ信号化し、かつ信号振幅を画像データに適した振幅にレベル変換したものにすることで、受信した信号の１／０が、そのまま表示部の個々の画素の明／暗、もしくは暗／明として順次表示させることができる。ここで、表示部がセグメント表示である場合は、受信した信号を各セグメントへ順次書込みを行う。
【００２０】
なお、上で述べた回路は、ＬＳＩで作製する部分と、薄膜トランジスタ、特に低温ポリシリコン薄膜トランジスタを用いて作製する部分に分けて作製する構成が考えられるが、全ての回路を薄膜トランジスタを用いて作製すれば、画像表示装置の基板上に同一プロセスで作製でき、低コスト化が期待できる。さらに、薄膜トランジスタを印刷技術を用いて作製することができれば、より低コスト化が実現でき、また、薄膜トランジスタをフレキシブル基板上に作製して本発明の画像表示装置を作製すれば、より利便性を向上させることができる。
【実施例２】
【００２１】
図５は、本発明の実施例２を示す構成図である。図５において、画像表示装置を備えた情報端末１は、表示部２、データ配線駆動回路３、走査配線駆動回路４、タイミングコントローラ５、アンテナ６、検波回路７、電源回路１０を内蔵している。図１の構成と異なる点は、プロセッサ８、メモリ９を持たない点であり、この実施例の画像表示装置は、アンテナ６が受信した電磁波を表示させる機能のみを有するものである。
【００２２】
実施例２の構成も、図１で説明した実施例１の構成同様、全ての回路を薄膜トランジスタを用いて作製すれば、低コスト化が期待できる。さらに、薄膜トランジスタを印刷技術を用いて作製することができれば、より抵抗コスト化を実現でき、また、薄膜トランジスタをフレキシブル基板上に作製して本発明の画像表示装置を作製すれば、より利便性を向上させることができる。
【実施例３】
【００２３】
図６は、本発明の実施例３を示す構成図である。図６において、画像表示装置を備えた情報端末１は、表示部２、データ配線駆動回路３、走査配線駆動回路４、タイミングコントローラ５、アンテナ６、検波回路７、プロセッサ８、メモリ９、電源回路１０、画像データ用メモリ２００を内蔵している。図１で説明した実施例１の構成と異なる点は画像データ用メモリ２００を持っている点である。
【００２４】
図７は、画像データ用メモリ２００を含んだ本実施例の画像データ用メモリ２００、表示部１、データ配線駆動回路３、および走査配線駆動回路４の構成を示す。画像データ用メモリ２００は、画像データ用第1メモリ２０１および画像データ用第２メモリ２０２により構成されており、表示部２の１行分の画像データを交互に記憶する。第１と第２画像データ用メモリ２０１、２０２は、それぞれスイッチ３３およびスイッチ３４を介してデータ配線２１に接続されており、スイッチ３３およびスイッチ３４は、信号ＳＷＣ１およびＳＷＣ２により制御される。この構成により、１本の走査配線２２が選択されるたびに第１画像データ用メモリ２０１、第２画像データ用メモリ２０２のデータを交互にデータ配線２１に転送し、各画素２３にデータを記憶させることで、画像の表示を行う。
【００２５】
この実施例３の構成も、図１で説明した実施例１の構成同様、全ての回路を薄膜トランジスタを用いて作製すれば、低コスト化が期待できる。さらに、薄膜トランジスタを印刷技術を用いて作製することができれば、より抵抗コスト化を実現でき、また、薄膜トランジスタをフレキシブル基板上に作製して本発明の画像表示装置を作製すれば、より利便性を向上させることができる。
【実施例４】
【００２６】
次に、タイミングコントローラ５内部の構成について、その構成例１を説明する。図８は、タイミングコントローラ５内部のブロック図を示したものである。タイミングコントローラ５は、ＮＲＺ信号化回路５２、レベルシフタ５３、クロック生成回路５４、制御信号生成回路５５により構成される。
【００２７】
ＮＲＺ信号化回路５２は、例えば図２に示すような検波回路７の出力をＮＲＺ信号に変換する回路である。次に、レベルシフタ５３は、ＮＲＺ信号の振幅を、画像データ用の信号振幅に変換する回路である。ここで、ＮＲＺ信号化回路の出力信号の振幅が、すでに画像データ用の信号振幅である場合には、レベルシフタ５３は不要である。また、クロック生成回路５３は、ＮＲＺ信号化回路５２の出力から、検波回路７の出力と同期したクロックを生成する回路である。最後に制御信号生成回路５５は、ＮＲＺ信号化回路５２の出力とクロック生成回路５３の出力から、例えば図４に示すような制御信号を生成する回路である。
【００２８】
ここで、タイミングコントローラ５内のＮＲＺ信号化回路５２およびクロック生成回路５３の信号生成法について、その１例を図９を用いて説明する。図９は、上段にマンチェスター方式の入力信号、中段にＮＲＺ信号、下段にクロックを示している。ＮＲＺ信号化回路５２は、図中に点線で示した判定タイミングで入力信号を判定し、１,０の信号を出力する。また、クロック生成回路５３は、同様の判定タイミングで１,０を反転させた信号を生成する。この判定タイミングは、アンテナが受信した搬送波をカウントすることにより生成する。
【００２９】
次に、制御信号生成回路５５について信号生成法の１例を説明する。ここで説明する駆動信号生成回路は、図３に示すデータ配線駆動回路３、走査配線駆動回路４を駆動する信号を生成する回路の例である。制御信号生成回路５５は、図４に示すＶＦＲＭ、ＶＣＬＫ１、ＶＣＬＫ２、ＨＦＲＭ、ＨＣＬＫ１、ＨＣＬＫ２の６信号を生成する。ここで、ＨＣＬＫ１、ＨＣＬＫ２はクロック生成回路５３が生成したクロックおよびその反転信号を用いる。ＨＦＲＭ信号は、図３の表示部２の１行のデータの書き始めを示す信号であるが、この信号は、ＮＲＺ信号から行の先頭を検出して生成する。また、ＶＣＬＫ１、ＶＣＬＫ２は、ＮＲＺ信号から行の先頭を検出して切り替わるクロック信号である。最後にＶＦＲＭは、表示部２への１画面の表示を開始する信号で、ＮＲＺ信号から１画面の先頭を検出して生成する。
【実施例５】
【００３０】
本発明の実施例５について図１０を用いて説明する。図１０は、画像表示装置を備えた情報端末１に搭載されている表示部２、データ配線駆動装置３、および走査配線駆動装置４の構成を示したものである。データ配線駆動回路３は第１シフトレジスタ３５、３６、３７およびスイッチ３２で構成されており、走査配線駆動回路４は、第２シフトレジスタ４３、４４、４５およびレベルシフタ４２により構成されている。ここで、データ配線駆動回路３および走査配線駆動回路４は、それぞれ３つのシフトレジスタを持っているが、このシフトレジスタ数は３つに限らず、１以上であればよい。
【００３１】
図１０ではデータ配線駆動装置３、および走査配線駆動装置４が、それぞれ３つのシフトレジスタを持つことから、表示部２は９個のブロックに分割される。それらは、それぞれ表示部２a、２b、２c、２d、２e、２f、２g、２h、２iとして、図１０中に示されている。表示部２、データ配線駆動装置３、および走査配線駆動装置４がこのような構成になっていることから、これらの９つの表示部のうち、任意の表示部に画像を表示させることが可能になる。任意の表示部に画像を表示させるには、第１シフトレジスタ３３、３４、３５および、第２シフトレジスタ４５、４６、４７の内からそれぞれ任意の１つのシフトレジスタを動作させることにより、行われる。
【００３２】
上記した任意のシフトレジスタを動作させるには、タイミングコントローラ５が、所定のシフトレジスタのみへ駆動信号を供給することで実行される。そのためには、タイミングコントローラ５への入力信号として、画像データに加えて、表示部２上の位置情報が必要になる。表示部２上の位置情報の入力方法の１例を実施例６として以下に示す。
【実施例６】
【００３３】
従来使用されている非接触ＩＣカードのリーダ・ライタでは、電磁波により送信するデータの先頭に、データの開始を検出するためのヘッダが付加されている。本発明の情報端末へ入力される電磁波による入力信号も、同様にデータの開始を検出するためのヘッダが必要であるが、それと共に、画像データかどうかを判定する画像データ用のヘッダが必要になる。図１１に、本発明の情報端末の実施例６が受信するデータの構成の１例を本発明の実施例６として示す。
【００３４】
図１１において、受信データは、ヘッダ１０１、画像データ以外のデータ１０２、画像データ用ヘッダ１０３、画像データ１０４により構成されている。データは図中の矢印に沿って、左から右に送信される。図１１のデータが、電磁波として図１の情報端末１に入力されると、受信信号は、アンテナ６、検波装置７により、２値化データとして検出される。ここで、画像データ用ヘッダ１０３が入力されたことをタイミングコントローラ５が検出すると、タイミングコントローラ５は図３に示した制御信号および画像データを出力する。なお、図１１において、画像データ以外のデータ１０２が存在しない場合、ヘッダ１０１を画像データ用ヘッダとして代用することも可能である。
【実施例７】
【００３５】
図１２に、本発明の情報装置が受信するデータの構成の他の例を本発明の実施例７として示す。図１２において、送信データはヘッダ１０１、画像データ以外のデータ１０２、画像データ用ヘッダ１０３a、画像データ１０４a、画像データ用ヘッダ１０３b、画像データ１０４b、画像データ用ヘッダ１０３c、画像データ１０４cにより構成されている。データは図中の矢印に沿って、左から右に送信される。このデータは、例えば図１０において、表示部２b、２e、２hの３つの部分に画像を表示させる時のデータに対応したものである。画像データ用ヘッダ１０３aは表示部２aに画像を表示するためのヘッダでこれをタイミングコントローラ５が検出すると、図１０のシフトレジスタ３６とシフトレジスタ４３を動作させる。同様に、タイミングコントローラ５が画像データ用ヘッダ１０３bを検出すると、シフトレジスタ３６とシフトレジスタ４４を動作させ、画像データ用ヘッダ１０３cを検出するとシフトレジスタ３６とシフトレジスタ４５を動作させる。
【実施例８】
【００３６】
図１３に本発明の情報装置が送信するデータの構成のさらに他の例を本発明の実施８として示す。この例では、受信データは、ヘッダ１０１、画像データ以外のデータ１０２、画像データ用ヘッダ１０３に続いて、画像データ１０４a、行先頭ヘッダ１０５a、画像データ１０４b、行先頭ヘッダ１０５b、画像データ１０４cと続いて構成されている。データは図中の矢印に沿って、左から右に送信される。このデータ構成では、例えば、図３の表示部２に画像を表示させる場合、行の切り替わりが行先頭ヘッダにより認識できるため、タイミングコントローラ５がこの行先頭ヘッダを判定し、表示部２内の１段下の行内の画素へ画像データの表示を開始する。
【図面の簡単な説明】
【００３７】
【図１】本発明に係る画像表示装置を備えた情報端末の実施例１の構成を示すブロック図である。
【図２】図１の検波回路が検出する波形図である。
【図３】図１の表示部、データ配線駆動回路、走査配線駆動回路の構成と入力信号の１例を示す図である。
【図４】図１における制御信号の波形の１例を示す図である。
【図５】本発明に係る画像表示装置を備えた情報端末の実施例２の構成を示すブロック図である。
【図６】本発明に係る画像表示装置を備えた情報端末の実施例３の構成を示すブロック図である。
【図７】本発明に係る画像表示装置を備えた情報端末の実施例３の画像データ用メモリ、表示部、データ配線駆動回路、および走査配線駆動回路の構成を示す図である。
【図８】本発明に係る画像表示装置を備えた情報端末の実施例４のタイミングコントローラ内部のブロック図を示す図である。
【図９】タイミングコントローラの入力波形、ＮＲＺ信号およびクロックを示す図である。
【図１０】本発明に係る画像表示装置を備えた情報端末の実施例５の表示部、データ配線駆動装置、および走査配線駆動装置の構成を示す図である。
【図１１】本発明に係る情報端末の実施例６における受信データの構成を示す図である。
【図１２】本発明に係る情報端末の実施例７における受信データの構成を示す図である。
【図１３】本発明に係る情報装置の実施例８における受信データの構成を示す図である。
【符号の説明】
【００３８】
１…情報端末、２…表示部、３…データ配線駆動回路、４…走査配線駆動回路、５…タイミングコントローラ、６…アンテナ、７…検波回路、８…プロセッサ、９…メモリ、１０…電源回路、２１…データ配線、２２…走査配線、２３…画素、２a…表示部、２b…表示部、２c…表示部、２d…表示部、２e…表示部、２f…表示部、２g…表示部、２h…表示部、２i…表示部、３１…シフトレジスタ、３２…スイッチ、３３…スイッチ、３４…スイッチ、３５…シフトレジスタ、３６…シフトレジスタ、３７…シフトレジスタ、４１…シフトレジスタ、４２…レベルシフタ、４３…シフトレジスタ、４４…シフトレジスタ、４５…シフトレジスタ、５２…ＮＲＺ信号化回路、５３…クロック生成回路、５４…レベルシフタ、５５…制御信号生成回路、１０１…ヘッダ、１０２…信号、１０３…画像データ用ヘッダ、１０３a…画像データ用ヘッダ、１０３b…画像データ用ヘッダ、１０３c…画像データ用ヘッダ、１０４…画像データ、１０４a…画像データ、１０４b…画像データ、１０４c…画像データ、１０５a…行先頭ヘッダ、１０５b…行先頭ヘッダ、２００…画像データ用メモリ、２０１…画像データ用メモリ、２０２…画像データ用メモリ、ＶＦＲＭ…制御信号、ＶＣＬＫ１…制御信号、ＶＣＬＫ２…制御信号、ＨＦＲＭ…制御信号、ＨＣＬＫ１…制御信号、ＨＣＬＫ２…制御信号、ＳＷＣ１…制御信号、ＳＷＣ２…制御信号。
【図１】
2007248553.tif 000003
【図２】
2007248553.tif 000004
【図３】
2007248553.tif 000005
【図４】
2007248553.tif 000006
【図５】
2007248553.tif 000007
【図６】
2007248553.tif 000008
【図７】
2007248553.tif 000009
【図８】
2007248553.tif 000010
【図９】
2007248553.tif 000011
【図１０】
2007248553.tif 000012
【図１１】
2007248553.tif 000013
【図１２】
2007248553.tif 000014
【図１３】
2007248553.tif 000015